(57)【要約】      （修正有）【課題】他部材を用いることなく、フェライトコアに対する導電路の位置を安定させる。【解決手段】ノイズフィルタは、電線（導電路）４０Ｓを包囲するフェライトコア１０と、フェライトコア１０を収容するケース２０とを備え、ケース２０は、フェライトコア１０を包囲する周壁部２２と、周壁部２２における周方向に間隔を空けた複数箇所から径方向内向きに突出し、突出端部（弾性当接部２８）が電線４０Ｓの外周に対して弾性的に当接する複数の弾性保持片２４とを備えて構成されている。フェライトコア１０によって包囲される電線４０Ｓの外径が異なっても、それに応じて複数の弾性保持片２４の弾性撓み量が変化することにより、電線４０Ｓは、フェライトコア１０に対する位置を安定させた状態で保持される。【選択図】図３
2015233112.tif 000002
【特許請求の範囲】
【請求項１】
導電路を包囲するフェライトコアと、
前記フェライトコアを収容するケースとを備え、
前記ケースは、
前記フェライトコアを包囲する周壁部と、
前記周壁部における周方向に間隔を空けた複数箇所から径方向内向きに突出し、突出端部が前記導電路の外周に対して弾性的に当接する複数の弾性保持片とを備えて構成されていることを特徴とするノイズフィルタ。
【請求項２】
前記複数の弾性保持片の前記突出端部が、軸線方向において前記周壁部の外側に配されていることを特徴とする請求項１記載のノイズフィルタ。
【請求項３】
周方向に隣り合う前記弾性保持片の間隔が、前記導電路を収容可能な寸法とされていることを特徴とする請求項１又は請求項２記載のノイズフィルタ。
【請求項４】
周方向に隣り合う前記弾性保持片の間隔が、径方向外周側に向かって狭まるように設定されていることを特徴とする請求項３記載のノイズフィルタ。
【請求項５】
前記フェライトコアが複数の挿通孔を有し、
前記複数の挿通孔に、複数の前記導電路が個別に挿通されていることを特徴とする請求項１ないし請求項４のいずれか１項記載のノイズフィルタ。
【発明の詳細な説明】
【技術分野】
【０００１】
本発明は、ノイズフィルタに関するものである。
【背景技術】
【０００２】
特許文献１には、電線を包囲するフェライトコアと、フェライトコアを包囲するケースとを備えたノイズフィルタが開示されている。フェライトコアの中心には、電線を挿通させるための貫通孔が形成されている。
【先行技術文献】
【特許文献】
【０００３】
【特許文献１】特開２００５−１５１４７４号公報
【発明の概要】
【発明が解決しようとする課題】
【０００４】
上記のノイズフィルタでは、フェライトコアの貫通孔の大きさと形状は、貫通孔に挿通される電線の太さに合わせて設定されている。そのため、太さが異なる電線には、適用できない。その対策としては、貫通孔の大きさを、想定される電線の最大径に合わせて設定することが考えられる。しかし、そうすると、小径の電線を使用する場合には、貫通孔内において電線の径方向の位置が定まらないため、フェライトコアのフィルタ機能が不安定となる。フィルタ機能の安定化を図るためには、電線の外周にテープを巻き付けて、貫通孔の内周との隙間を埋め、貫通孔内における電線の位置を安定させる必要がある。
【０００５】
本発明は上記のような事情に基づいて完成されたものであって、他部材を用いることなく、フェライトコアに対する導電路の位置を安定させるようにすることを目的とする。
【課題を解決するための手段】
【０００６】
本発明のノイズフィルタは、
導電路を包囲するフェライトコアと、
前記フェライトコアを収容するケースとを備え、
前記ケースは、
前記フェライトコアを包囲する周壁部と、
前記周壁部における周方向に間隔を空けた複数箇所から径方向内向きに突出し、突出端部が前記導電路の外周に対して弾性的に当接する複数の弾性保持片とを備えて構成されているところに特徴を有する。
【発明の効果】
【０００７】
フェライトコアによって包囲される導電路の外径が異なっても、それに応じて複数の弾性保持片の弾性撓み量が変化することにより、導電路は、フェライトコアに対する位置を安定させた状態で保持される。
【図面の簡単な説明】
【０００８】
【図１】実施例１のノイズフィルタの正面図
【図２】図１のＸ−Ｘ線断面図
【図３】ノイズフィルタの一使用形態をあらわし、テープを省略した状態の正面図
【図４】図３のＹ−Ｙ線断面図
【図５】ノイズフィルタの別の使用形態をあらわす正面図
【図６】ノイズフィルタの更に別の使用形態をあらわす正面図
【図７】実施例２のノイズフィルタの正面図
【図８】電線が取り付けられていない状態のフェライトコアとケースをあらわす断面図
【発明を実施するための形態】
【０００９】
（１）本発明のノイズフィルタは、前記複数の弾性保持片の前記突出端部が、軸線方向において前記周壁部の外側に配されていてもよい。
この構成によれば、弾性保持片の突出端部と、導電路のうち突出端部から露出している領域とに亘ってテープを巻き付けることができるので、ノイズフィルタと導電路を固定する際の作業性が良い。
【００１０】
（２）本発明のノイズフィルタは、周方向に隣り合う前記弾性保持片の間隔が、前記導電路を収容可能な寸法とされていてもよい。
この構成によれば、フェライトコアに挿通した導電路をフェライトコアの外周に沿って何重にも巻き付ける場合に、隣り合う弾性保持片の間に導電路を挟み込むようにすれば、導電路を周方向においてほぼ均等ピッチで配置することができる。
【００１１】
（３）本発明のノイズフィルタは、（２）において、周方向に隣り合う前記弾性保持片の間隔が、径方向外周側に向かって狭まるように設定されていてもよい。
この構成によれば、外径寸法の異なる複数種類の導電路を、隣り合う弾性保持片の間で安定して位置決めすることができる。
【００１２】
（４）本発明のノイズフィルタは、前記フェライトコアが複数の挿通孔を有し、前記複数の挿通孔に、複数の前記導電路が個別に挿通されていてもよい。
この構成によれば、１つのフェライトコアで複数本の導電路のノイズを除去できるので、ノイズフィルタの大型化と部品点数の削減を図ることができる。
【００１３】
＜実施例１＞
以下、本発明を具体化した実施例１を図１〜図６を参照して説明する。本実施例１のノイズフィルタＦａは、円筒状のフェライトコア１０と、フェライトコア１０を同心状に収容するケース２０と、ケース２０に形成された複数の弾性保持片２４とを備えて構成されている。ノイズフィルタＦａは、芯線４１を絶縁被覆４２で包囲した形態の電線４０Ｓ，４０Ｔ（請求項に記載の導電路）のノイズを除去する。また、ノイズフィルタＦａは、外径寸法が異なる複数種類の電線４０Ｓ，４０Ｔをノイズ除去対象としている。但し、複数本の電線４０Ｓ，４０Ｔを一括してノイス除去するのではなく、１本の電線４０Ｓ，４０Ｔに対して１つのノイズフィルタＦａを取り付けてノイズ除去を行う。
【００１４】
＜フェライトコア１０＞
フェライトコア１０は、半円筒形をなす一対の対称なコア構成体１１を合体させて構成され、電線４０Ｓ，４０Ｔに対し包囲するように取り付けられる。フェライトコア１０の内径は、ノイズ除去対象となる複数種類の電線４０Ｓ，４０Ｔのうち、最も太い電線４０Ｔの外径寸法よりも大きい寸法に設定されている。
【００１５】
＜ケース２０＞
ケース２０は、合成樹脂製であり、全体として概ね半円筒形をなす一対のケース構成体２１を略円筒形に合体して構成されている。合体状態のケース２０は、円筒形をなす周壁部２２と、周壁部２２の軸線方向における両端縁部から片持ち状に延出した形態の６つの弾性保持片２４とを備えて構成されている。
【００１６】
周壁部２２は、半円筒形をなす一対の半割部材２３を合体させて構成されている。周壁部２２は、その合わせ目の近傍に形成した周知形態の撓み係止片（図示省略）と係止突起（図示省略）との係止により、合体状に保持されるようになっている。周壁部２２の内径は、フェライトコア１０の外径とほぼ同じ寸法である。したがってケース２０内に収容されたフェライトコア１０は、その外周面を周壁部２２の内周面にほぼ密着させることにより、径方向において相対移動することなく安定した位置に保持される。
【００１７】
６つの弾性保持片２４は、全て形状と寸法が同一であり、３つずつ分かれて夫々ケース構成体２１の半割部材２３に一体に形成されている。ケース構成体２１（半割部材２３）を合体した状態では、６つの弾性保持片２４が周方向に等角度ピッチで配置される。また、各弾性保持片２４は、ケース２０の軸心から径方向に延ばした仮想対称軸に関して対称な形状をなしている。
【００１８】
各弾性保持片２４は、夫々、周壁部２２の軸線方向両端縁部から径方向内方へ延出する基板部２５と、基板部２５の延出端部から更に径方向内方へ片持ち状に延出する弾性当接部２８とから構成されている。
【００１９】
図２に示すように、基板部２５は、周壁部２２及びフェライトコア１０の軸線と直角な板状をなす。軸線と直角に見た基板部２５の形状は、概ね台形をなしている。そして、図１に示すように、周方向に隣り合う基板部２５同士の間には、径方向に延びるスリット状空間２６が存在している。また、基板部２５の径方向の突出端部は、フェライトコア１０の内周よりも僅かに内側（中心寄り）の位置まで延びている。
【００２０】
基板部２５は、弾性当接部２８よりも肉厚であり、殆ど弾性変形しない。また、周壁部２２の軸線方向の長さ寸法は、フェライトコア１０の軸線方向の長さ寸法と同じである。そして、基板部２５の延出端部の内面には、抜止め突起２７が形成されている。したがって、ケース２０内に収容されたフェライトコア１０は、その軸線方向両端部を基板部２５に当接させるとともに抜止め突起２７に係止させることにより、軸線方向及び径方向において相対移動することなく安定した位置に保持される。
【００２１】
基板部２５の延出端部から延出する弾性当接部２８は、基板部２５とは異なり、細長い形状をなしている。弾性当接部２８は、基板部２５に連なる略四半円弧状の湾曲部２９と、弧状部の延出端部に連なる棒状部３０とから構成されている。弾性当接部２８は、軸線方向において、周壁部２２の両端よりも外方へ延出した形態である。そして棒状部３０は、軸線方向とほぼ平行をなしている。
【００２２】
６本の棒状部３０は、周方向に等角度ピッチで、且つケース２０と同心の円周上に配置されている。そして、弾性当接部２８（弾性保持片２４）が弾性撓みしていない状態において、６本の棒状部３０の内面に内接する仮想内接円（図示省略）の直径は、ノイズフィルタＦａによるノイズ除去対象となる複数種類の電線４０Ｓ，４０Ｔのうち、最も細い電線４０Ｓの外径よりも少し小さい寸法に設定されている。この６本の弾性当接部２８は、径方向外方へ変位するように弾性撓みし得るようになっている。
【００２３】
軸線方向に見たときに、弾性当接部２８の幅寸法は基板部２５の幅寸法よりも小さいので、周方向に隣り合う弾性当接部２８の間には、周方向に隣り合う基板部２５同士のスリット状空間２６よりも幅広の保持空間３１が構成されている。また、弾性当接部２８の基端部と基板部２５の延出端部とは、その幅寸法の相違により段差状をなしているので、基板部２５の延出端縁のうち弾性当接部２８を挟む一対の領域は、ガイド縁部３２として機能する。ガイド縁部３２は、径方向と周方向の両方向に対して斜め方向を向いた状態で保持空間３１に臨んでいる。そして、１つの保持空間３１に臨む２つのガイド縁部３２は、双方の周方向の間隔が径方向外方に向かって次第に狭まるような位置関係となっている。一方、周方向に隣り合う弾性当接部２８の幅寸法は、径方向内方に向かって次第に狭まっている。
【００２４】
上記のように、周方向の隣り合う弾性保持片２４の間に構成された６つの保持空間３１は、径方向外方に向かって幅狭となる外周側領域と、幅方向内方に向かって幅狭となる内周側領域とによって構成されている。この保持空間３１は、ノイズ除去対象となる複数種類の電線４０Ｓ，４０Ｔのうち最も太い電線４０Ｔを収容することが可能な広さを有している。また、保持空間３１の外周側端部はスリット状空間２６に連通しているが、スリット状空間２６の幅寸法は、ノイズ除去対象となる複数種類の電線４０Ｓ，４０Ｔのうち最も細い電線４０Ｓの外径寸法よりも小さい寸法である。さらに、保持空間３１は、フェライトコア１０によって包囲された挿通空間１２（電線４０Ｓ，４０Ｔが挿通される空間）と、ケース２０の外部空間とを連通させている。また、軸線方向に見たときに、フェライトコア１０は保持空間３１よりも外周側に位置している。
【００２５】
＜実施例１の作用及び効果＞
図３，４は、ノイズ除去対象の電線４０Ｓ，４０Ｔのうち最も細い電線４０Ｓを、単純にノイズフィルタＦａの挿通空間１２に貫通させた形態を示す。電線４０ＳにノイズフィルタＦａを取り付ける際には、まず、一対のコア構成体１１を個別に半割部材２３内にセットする。このとき、コア構成体１１の外周面を半割部材２３の内周面に密着させるとともに、コア構成体１１の軸線方向両端面を基板部２５の内面に当接させ、コア構成体１１の軸方向両端部における内周縁を抜止め突起２７に係止させる。これにより、コア構成体１１が、ケース構成体２１に組み付けられた状態に保持される。
【００２６】
この後、コア構成体１１が一体化された一対のケース構成体２１を、電線４０Ｓに対し挟み込むように組み付けるとともに、両ケース構成体２１と両コア構成体１１を合体させる。ケース構成体２１を電線４０Ｓに取り付ける際には、６本の弾性当接部２８が電線４０Ｓの外周に当接することにより、径方向外方へ弾性撓みする。そして、撓み係止片（図示省略）と係止突起（図示省略）との係止によって、ケース構成体２１を合体状態に保持されると、電線４０Ｓへの取付けとノイズフィルタＦａの組付けが同時に完了する。
【００２７】
フェライトコア１０の内径は電線４０Ｓの外径よりも大きいので、ノイズフィルタＦａを電線４０Ｓに取り付けた状態では、電線４０Ｓの外周とフェライトコア１０の内周との間に円筒状の空間が存在する。しかし、電線４０Ｓの外周に当接している６本の弾性当接部２８の弾性撓み量は、ほぼ均一となるので、電線４０Ｓはフェライトコア１０（ノイズフィルタＦａ）に対して同心の位置関係となるように保持される。外径寸法の異なる別の電線４０ＴにノイズフィルタＦａを取り付けた場合には、弾性当接部２８の弾性撓み量が異なるが、この場合でも、６本の弾性当接部２８の弾性撓み量は、ほぼ均一になるので、電線４０Ｔはフェライトコア１０と同心状の位置に保持される。したがって、電線４０Ｓ，４０Ｔに対するノイズ除去が安定して行われる。
【００２８】
電線４０ＳにノイズフィルタＦａを取り付けた後は、図４に示すように、周壁部２２の外周に粘着性を有するテープ５０を巻き付けてケース構成体２１が分離しないように固定する。これとともに、周壁部２２の軸線方向外方に突出して電線４０Ｓを同心状に包囲する６本の弾性当接部２８の外周にも、テープ５０を巻き付け、その６本の弾性当接部２８が径方向に拡開しないように固定する。また、弾性当接部２８に巻き付けたテープ５０は、そのまま切らずに、電線４０Ｓのうち弾性当接部２８の近傍に露出している領域の外周にも巻き付ける。これにより、ノイズフィルタＦａと電線４０Ｓとが、ノイズフィルタＦａの軸線方向両端部において軸線方向に相対移動しないように固定される。
【００２９】
次に、本実施例１のノイズフィルタＦａの別の使用形態を、図５を参照して説明する。この使用形態は、図３，４の使用形態と同じく最も細い電線４０Ｓを、フェライトコア１０に巻き付けたものである。この使用形態では、予め組み付けられたノイズフィルタＦａに電線４０Ｓを取り付ける。電線４０Ｓの配索経路は、次の通りである。電線４０Ｓは、ノイズフィルタＦａの一方の端部において６本の弾性当接部２８の間を通過してフェライトコア１０の挿通空間１２内に進入し、６つの保持空間３１のうちいずれか１つの保持空間３１（便宜上、第１保持空間３１Ａと定義する）を貫通し、ノイズフィルタＦａの他方の端部から外部へ突出し、径方向外方へ転向し、ケース２０の外周に沿うように反転する（折り返す）ことにより、ノイズフィルタＦａの一方の端部に戻る。
【００３０】
次に、周方向において第１保持空間３１Ａに対し１２０°の角度で変位している別の保持空間３１（便宜上、第２保持空間３１Ｂと定義する）を貫通してフェライトコア１０の挿通空間１２内に進入し、ノイズフィルタＦａの他方の端部において第２保持空間３１Ｂと対応する位置関係の保持空間３１（便宜上、第２保持空間３１Ｂと定義する）を貫通し、ノイズフィルタＦａの外部に突出する。そして、径方向外方へ転向し、ケース２０の外周に沿うように反転する（折り返す）ことにより、ノイズフィルタＦａの一方の端部に戻る。
【００３１】
さらに、周方向において第１保持空間３１Ａ及び第２保持空間３１Ｂに対し１２０°の角度で変位している保持空間３１（便宜上、第３保持空間３１Ｃと定義する）を貫通して挿通空間１２内に進入し、ノイズフィルタＦａの他方の端部において第３保持空間３１Ｃと対応する位置関係の保持空間３１（便宜上、第３保持空間３１Ｃと定義する）を貫通し、ノイズフィルタＦａの外部に突出する。そして、径方向外方へ転向し、ケース２０の外周に沿うように反転する（折り返す）ことにより、ノイズフィルタＦａの一方の端部に戻る。
【００３２】
さらに、第１保持空間３１Ａ、第２保持空間３１Ｂ及び第３保持空間３１Ｃとは異なる保持空間３１（便宜上、第４保持空間３１Ｄと定義する）を貫通して挿通空間１２内に進入し、ノイズフィルタＦａの他方の端部において６本の弾性当接部２８の間を通過してノイズフィルタＦａの外部へ突出する。電線４０Ｓは、以上の経路により、フェライトコア１０に３回巻き付けられた状態でノイズフィルタＦａに挿通される。電線４０Ｓの挿通が完了したら、上記と同様にテープ５０を巻き付けることにより、ノイズフィルタＦａと電線４０Ｓを、軸線方向への相対移動を規制した状態で固定するとともに、電線４０Ｓの巻回部４３の弛みを防止する。
【００３３】
保持空間３１Ａ，３１Ｂ，３１Ｃを通過する電線４０Ｓは、緊張させた状態で巻き付けられ、ノイズフィルタＦａの外周側（径方向外方）へ引っ張られるので、一対のガイド縁部３２に押し付けられる。一対のガイド縁部３２は、径方向外方に向かって間隔が狭まっているので、電線４０Ｓは、保持空間３１内で周方向に移動することは殆どない。そして、電線４０Ｓのうち保持空間３１Ａ，３１Ｂ，３１Ｃを通過してフェライトコア１０に巻き付けられた３つの巻回部４３は、周方向においてほぼ等角度ピッチで配置されている。したがって、電線４０Ｓに対するノイズ除去機能が安定する。
【００３４】
図６は、本実施例１のノイズフィルタＦａの更に別の使用形態を示す。この使用形態で使用される電線４０Ｔは、図５で使用された細い電線４０Ｓよりも太い電線４０Ｔである。したがって、弾性当接部２８の径方向外方への弾性撓み量が、図５の場合よりも大きい。これ以外の構成は、電線４０Ｓの巻き付け経路を含めて図５の場合と同様であるから、詳細な説明は省略する。
【００３５】
上述のように、本実施例１のノイズフィルタＦａは、電線４０Ｓ，４０Ｔを包囲するフェライトコア１０と、フェライトコア１０を収容するケース２０とを備えたものであって、電線４０Ｓ，４０Ｔの外周に巻き付ける他部材を用いることなく、フェライトコア１０に対する電線４０Ｓ，４０Ｔの位置を安定させることを課題としたものである。その課題解決の手段として、ケース２０は、フェライトコア１０を包囲する周壁部２２と、周壁部２２における周方向に間隔を空けた６箇所から径方向内向きに突出し、突出端部（棒状部３０）が電線４０Ｓ，４０Ｔの外周に対して弾性的に当接する複数の弾性保持片２４とを備えている。この構成によれば、フェライトコア１０によって包囲される電線４０Ｓ，４０Ｔの外径が異なっても、それに応じて６つの弾性保持片２４の弾性撓み量が変化することにより、電線４０Ｓ，４０Ｔは、フェライトコア１０に対する位置を安定させた状態で保持される。
【００３６】
また、本実施例１では、６つの弾性保持片２４の突出端部（弾性当接部２８）が、軸線方向において周壁部２２の外側に配されている。この構成によれば、弾性保持片２４の突出端部（弾性当接部２８の棒状部３０）と、電線４０Ｓ，４０Ｔのうち突出端部（棒状部３０）から露出している領域とに亘ってテープ５０を巻き付けることができるので、ノイズフィルタＦａと電線４０Ｓ，４０Ｔを固定する際の作業性が良い。
【００３７】
また、周方向に隣り合う弾性保持片２４の間隔（弾性保持片２４の間に構成される保持空間３１の幅寸法）を、電線４０Ｓ，４０Ｔを収容可能な寸法としている。この構成によれば、フェライトコア１０に挿通した電線４０Ｓ，４０Ｔをフェライトコア１０の外周に沿って何重にも巻き付ける場合に、隣り合う弾性保持片２４の間に電線４０Ｓ，４０Ｔを挟み込むようにすれば、電線４０Ｓ，４０Ｔを周方向においてほぼ均等ピッチで配置することが可能である。しかも、周方向に隣り合う弾性保持片２４の間隔（保持空間３１のうち径方向外側の領域の幅寸法）が、径方向外周側に向かって狭まるように設定されており、保持空間３１内の電線４０Ｓ，４０Ｔがフェライトコア１０と干渉することもない。したがって、外径寸法の異なる複数種類の電線４０Ｓ，４０Ｔを、隣り合う弾性保持片２４の間（保持空間３１内）に安定して位置決めすることができる。
【００３８】
＜実施例２＞
以下、本発明を具体化した実施例２を図７，８を参照して説明する。本実施例２のノイズフィルタＦｂは、円筒状のフェライトコア６０と、フェライトコア６０を収容するケース７０と、ケース７０に形成された複数の弾性保持片７７とを備えて構成されている。尚、本実施例２において、上下の方向及び左右の方向に関しては、図７にあらわれる向きを、そのまま、上下方向及び左右方向と定義する。
【００３９】
＜電線４０Ｓ，４０Ｔ＞
ノイズフィルタＦｂによるノイズ除去対象は、実施例１と同じく、芯線４１を絶縁被覆４２で包囲した形態の細い電線４０Ｓ（請求項に記載の導電路）と、芯線４１を絶縁被覆４２で包囲した形態であって電線４０Ｓよりも太い電線４０Ｔ（請求項に記載の導電路）である。ノイズフィルタＦｂは、この外径寸法が異なる複数種類の電線４０Ｓ，４０Ｔのうち任意の２本をノイズ除去対象としている。ノイズ除去対象となる組み合わせは、外径寸法の小さい１本の電線４０Ｓと外径寸法の大きい１本の電線４０Ｔとの組み合わせ、外径寸法の小さい２本の電線４０Ｓの組み合わせ、外径寸法の大きい２本の電線４０Ｔの組み合わせのいずれも可能である。
【００４０】
＜フェライトコア６０＞
電線４０Ｓ，４０Ｔの軸線と平行に見た正面視において、フェライトコア６０は長円形をなしている。即ち、フェライトコア６０の外周は、２つの半円を２つの直線で結んだ形状である。そして、フェライトコア６０は、その外周の直線領域と平行な面を合せ面６２とする上下対称な一対のコア構成体６１を合体させて構成されている。
【００４１】
フェライトコア６０には、前後方向に貫通する左右２つの挿通孔６３が、左右対称に形成されている。各挿通孔６３は、一方のコア構成体６１の合せ面６２に形成した半円形の凹部６４と、他方のコア構成体６１の合せ面６２に形成した半円形の凹部６４とによって円形に構成されている。右側の挿通孔６３は、フェライトコア６０の外周を構成する右側の半円と同心の円形をなし、左側の挿通孔６３は、フェライトコア６０の外周を構成する左側の半円と同心の円形をなす。この２つの挿通孔６３の内径は、互いに同じ寸法であり、外径寸法の大きい電線４０Ｔの外径よりも充分に大きい寸法に設定されている。
【００４２】
＜ケース７０＞
ケース７０は、合成樹脂製である。電線４０Ｓ，４０Ｔの軸線と平行に見た正面視において、ケース７０は長円形をなしている。即ち、ケース７０の外周は、２つの半円を２つの直線で結んだ形状である。そして、ケース７０は、その外周の直線領域と平行な面を合せ面７２とする上下対称な一対のケース構成体７１を合体させて構成されている。合体状態のケース７０は、フェライトコア６０を包囲する周壁部７３と、周壁部７３から片持ち状に延出した形態の弾性保持片７７とを一体成形して構成されている。
【００４３】
周壁部７３は、フェライトコア６０の前面（図７にあらわれる面）と後面に対して接触又は接近して対向する前後対称な一対の板状の端面覆い部７４と、前後両端面覆い部７４の外周縁を連結する形態の周面覆い部７５とを備えて構成されている。端面覆い部７４の外周縁と周面覆い部７５は、フェライトコア６０の外周面に沿った形状、即ち長円形である。端面覆い部７４には、フェライトコア６０の挿通孔６３と同心状の円形をなす左右対称な一対の開口部７６が形成されている。
【００４４】
ケース７０内に収容されたフェライトコア６０は、その外周面を周面覆い部７５の内面にほぼ密着させることにより、上下及び左右方向において相対移動することなく安定した位置に保持されるとともに、合体状態に保持される。また、ケース７０内に収容されたフェライトコア６０は、その前後両端面を端面覆い部７４の内面にほぼ密着させることにより、前後方向において相対移動することなく安定した位置に保持される。
【００４５】
周壁部７３を構成する前側の端面覆い部７４には、１２片の弾性保持片７７が形成されている。全ての弾性保持片７７は、形状と寸法が同一である。１２の弾性保持片７７は、前側の端面覆い部７４の前方（外面側）へ片持ち状に延出した形態である。１２の弾性保持片７７のうち６つの弾性保持片７７は、右側の開口部７６の開口縁から周方向に等角度間隔を空けて延出している。残りの６つの弾性保持片７７は、左側の開口部７６の開口縁から周方向に等角度間隔を空けて片持ち状に延出している。
【００４６】
後側の端面覆い部７４にも、１２片の弾性保持片７７が形成されている。全ての弾性保持片７７は、形状と寸法が同一である。１２の弾性保持片７７は、後側の端面覆い部７４の後方（外面側）へ片持ち状に延出した形態である。１２の弾性保持片７７のうち６つの弾性保持片７７は、右側の開口部７６の開口縁から周方向に等角度間隔を空けて延出している。残りの６つの弾性保持片７７は、左側の開口部７６の開口縁から周方向に等角度間隔を空けて片持ち状に延出している。
【００４７】
各弾性保持片７７は、端面覆い部７４に連なる湾曲部７８と、湾曲部７８の延出端から更に延出した弾性当接部７９とから構成されている。図８に示すように、挿通孔６３の軸線を含む切断面における湾曲部７８の断面形状は、開口部７６の開口縁から径方向内向きに延出する略四半円弧形をなしている。同じ切断面における弾性当接部７９の断面形状は、挿通孔６３の軸線と略平行な直線状をなしている。
【００４８】
１つの開口部７６の開口縁から延出している６つの弾性保持片７７が弾性撓みしていない状態において、これら６つの弾性当接部７９の内面に内接する仮想内接円（図示省略）の直径は、外径寸法の小さい電線４０Ｓの外径よりも小さい寸法に設定されている。６つの弾性当接部７９は、湾曲部７８の弾性変形を伴いながら、径方向外側へ弾性的変位し得るようになっている。
【００４９】
＜実施例２の作用及び効果＞
図７は、ノイズ除去対象の電線４０Ｓ，４０Ｔのうち細い電線４０Ｓを、左側の挿通孔６３に挿通し、太い電線４０Ｔを右側の挿通孔６３に挿通した形態を示す。電線４０Ｓ，４０ＴにノイズフィルタＦｂを取り付ける際には、まず、一対のコア構成体６１を個別にケース構成体７１内にセットする。このとき、コア構成体６１の外周面を周面覆い部７５の内周面に密着させるとともに、コア構成体６１の前後両端面を端面覆い部７４の内面に当接させる。
【００５０】
そして、一方のケース構成体７１において、合せ面６２を上に向けたコア構成体６１の２つの凹部６４に電線４０Ｓ，４０Ｔを収容し、その上に他方のケース構成体７１とコア構成体６１を被せるようにして合体させる。これにより、フェライトコア６０が、２本の電線４０Ｓ，４０Ｔを挿通させた状態でケース７０内に収容される。以上により、ノイズフィルタＦｂの組付けが完了する。
【００５１】
ノイズフィルタＦｂが組み付けられた状態では、各電線４０Ｓ，４０Ｔの外周に対し、夫々、６本の弾性当接部７９が径方向外方へ弾性撓みした状態で当接する。このとき、周方向において等角度間隔で配置されている６片の弾性保持片７７が、同じ寸法だけ弾性撓みするので、各電線４０Ｓ，４０Ｔは、夫々、周方向において均等な力で径方向内側へ押圧される。したがって、各電線４０Ｓ，４０Ｔは、夫々、貫通している挿通孔６３と同軸状に位置決めされる。
【００５２】
各電線４０Ｓ，４０Ｔが挿通孔６３と同軸状に位置決めされるということは、各電線４０Ｓ，４０Ｔの外周面と挿通孔６３の内周面との間の径方向の距離が、全周に亘って一定となることを意味する。したがって、本実施例２のノイズフィルタＦｂによれば、細い電線４０Ｓと太い電線４０Ｔのいずれに関しても、フェライトコア６０によるノイズ除去が安定して行われる。
【００５３】
また、電線４０Ｓ，４０ＴにノイズフィルタＦｂを取り付けた後は、弾性当接部７９の外面と電線４０Ｓ，４０Ｔの外周面に、粘着性を有するテープ（図示省略）を巻き付ける。これにより、電線４０Ｓ，４０Ｔと弾性保持片７７とが相対変位しないように固定されるので、電線４０Ｓ，４０Ｔと挿通孔６３との同心状の位置関係が保持される。
【００５４】
上述のように、本実施例２のノイズフィルタＦｂは、電線４０Ｓ，４０Ｔを包囲するフェライトコア６０と、フェライトコア６０を収容するケース７０とを備えたものであって、電線４０Ｓ，４０Ｔの外周に巻き付ける他部材を用いることなく、フェライトコア６０に対する電線４０Ｓ，４０Ｔの位置を安定させることを課題としたものである。その課題解決の手段として、ケース７０は、フェライトコア６０を包囲する周壁部７３と、周壁部７３の開口部７６における周方向に間隔を空けた６箇所から径方向内向きに突出し、突出端部（弾性当接部７９）が電線４０Ｓ，４０Ｔの外周に対して弾性的に当接する複数の弾性保持片７７とを備えている。
【００５５】
この構成によれば、フェライトコア６０によって包囲される電線４０Ｓ，４０Ｔの外径が異なっても、それに応じて６つの弾性保持片７７の弾性撓み量が変化することにより、電線４０Ｓ，４０Ｔは、フェライトコア６０の挿通孔６３に対する位置を安定させた状態で保持される。
【００５６】
また、本実施例２では、フェライトコア６０が複数の挿通孔６３を有し、複数の挿通孔６３に、複数の電線を個別に挿通するようにしているので、１つのフェライトコア６０で複数本の電線のノイズを除去できる。したがって、ノイズフィルタＦｂの大型化と部品点数の削減を図ることができる。
【００５７】
また、本実施例２では、６つの弾性保持片７７の突出端部（弾性当接部７９）が、軸線方向において端面覆い部７４（ケース７０）の外側に配されている。この構成によれば、弾性保持片７７の突出端部（弾性当接部７９）と、電線４０Ｓ，４０Ｔのうち弾性保持片７７の前方又は後方へ露出している領域とに亘ってテープを巻き付けることができるので、ノイズフィルタＦｂと電線４０Ｓ，４０Ｔを固定する際の作業性が良い。
【００５８】
＜他の実施例＞
本発明は上記記述及び図面によって説明した実施例に限定されるものではなく、例えば次のような実施例も本発明の技術的範囲に含まれる。
（１）上記実施例１，２では、弾性保持片の突出端部が、軸線方向において周壁部の外側に配されるようにしたが、弾性保持片の突出端部は軸線方向において周壁部の内側に隠れるように配されていてもよい。
（２）上記実施例１では、ケースを半円形をなす一対のケース構成体を合体させて構成したが、ケースを構成するケース構成体の数は、３つ以上であってもよい。
（３）上記実施例１，２では、ケースを一対のケース構成体で構成したが、ケースは、単一部品であってもよい。
（４）上記実施例１では、フェライトコアを半円形のコア構成体を合体させて構成したが、フェライトコアを構成するコア構成体の数は、３つ以上であってもよい。
（５）上記実施例１，２では、フェライトコアを一対のコア構成体で構成したが、フェライトコアは、単一部品であってもよい。
（６）上記実施例１では、導電路をフェライトコアに巻き付ける際に、隣り合う弾性保持片の間に導電路を挟み込むようにしたが、隣り合う弾性保持片の間隔を狭め、導電路をフェライトコアに巻き付ける際に隣り合う弾性保持片の間に導電路が挟み込まれないようにしてもよい。
（７）上記実施例１では、周方向に隣り合う弾性保持片の間に導電路を収容可能な空間を設け、導電路をフェライトコアに巻き付けることができるようにしたが、周方向に隣り合う弾性保持片の間隔が導電路を収容できない程に狭められ、導電路をフェライトコアに巻き付けられないようになっていてもよい。
（８）上記実施例１，２では、１本の導電路に当接する弾性保持片の数を６つとしたが、弾性保持片の数は、５つ以下でも、７つ以上でもよい。
（９）上記実施例１，２では、導電路を１本の電線としたが、導電路は、複数本の電線を束ねたワイヤーハーネスであってもよい。
（１０）上記実施例１，２では、導電路を構成する電線に弾性保持片が直接、当接するようにしたが、導電路が電線をコルゲートチューブで包囲した形態である場合には、コルゲートチューブの外周に弾性保持片を当接させてもよい。
（１１）上記実施例２では、フェライトコアに挿通する導電路を２本としたが、フェライトコアに挿通する導電路の本数は、３本以上でもよい。
（１２）上記実施例２では、２本の導電路が並列配置した状態でフェライトコアに挿通されているが、導電路が３本以上の場合は、導電路を俵積み状や多段状に配置してもよい。
（１３）上記実施例２に、実施例１の導電路をフェライトコアに巻き付ける構成を適用してもよい。
【符号の説明】
【００５９】
Ｆａ…ノイズフィルタ
１０…フェライトコア
２０…ケース
２２…周壁部
２４…弾性保持片
２８…弾性当接部（弾性保持片の突出端部）
４０Ｓ，４０Ｔ…電線（導電路）
Ｆｂ…ノイズフィルタ
６０…フェライトコア
６３…挿通孔
７０…ケース
７３…周壁部
７７…弾性保持片
７９…弾性当接部（弾性保持片の突出端部）
【図１】
2015233112.tif 000003
【図２】
2015233112.tif 000004
【図３】
2015233112.tif 000005
【図４】
2015233112.tif 000006
【図５】
2015233112.tif 000007
【図６】
2015233112.tif 000008
【図７】
2015233112.tif 000009
【図８】
2015233112.tif 000010